(57)【特許請求の範囲】
【請求項１】
開口部が膜体で覆われた樹脂性のポケットに、薬剤を収容する薬剤包装物において、
前記ポケットは、前記開口部の周囲が、該開口部の内側に折れ曲がって形成された内向き縁部を備え、前記ポケットは、前記開口部周りを含め全体において、外側に突出したシート状の部分が存在せず、前記膜体は、前記内向き縁部に、貼り付けられていることを特徴とする薬剤包装物。
【請求項２】
請求項１記載の薬剤包装物において、前記ポケットは、中空の円柱状、楕円柱状、球状、もしくは、楕円体状に形成されていることを特徴とする薬剤包装物。
【請求項３】
請求項１又は２記載の薬剤包装物において、前記膜体は、外縁が、前記内向き縁部に貼り付けられていることを特徴とする薬剤包装物。
【請求項４】
請求項１〜３のいずれか１項に記載の薬剤包装物において、前記ポケットは複数あって、前記ポケットは、外側に膨らんだ形状に形成された側壁部を介して、互いに連結されていることを特徴とする薬剤包装物。
【請求項５】
請求項４記載の薬剤包装物において、前記ポケットは、平面状に並べられていることを特徴とする薬剤包装物。
【請求項６】
請求項１又は２記載の薬剤包装物において、前記ポケットは、複数あって、互いに非連結であり、一枚の前記膜体が、全ての前記ポケットの前記開口部を覆うことを特徴とする薬剤包装物。
【発明の詳細な説明】
【技術分野】
【０００１】
本発明は、薬剤を包装する包装物に関する。
【背景技術】
【０００２】
ＰＴＰ（Ｐｒｅｓｓ  Ｔｈｒｏｕｇｈ  Ｐａｃｋａｇｅ）包装は、医薬品の錠剤やカプセル剤の包装の主流として、用いられている。
ＰＴＰ包装は、薬剤を収容する複数のポケットが形成されたシート状の樹脂に、各ポケットの開口部を覆うアルミニウムシートが貼り付けられている。樹脂及びアルミシートは、吸湿性の低い素材であることから、ＰＴＰ包装は、薬剤の吸湿を防止できる。また、ＰＴＰ包装の特長として、ポケットから薬剤を取り出す際、包装の非密封化が押し出した感触により認識可能であると共に、内部に薬剤が残っているかどうかや、内部の薬剤の特徴が容易に認識可能である点も挙げられる。
【０００３】
ところで、薬剤の飲み忘れや飲み過ぎを回避すべく、飲むべき薬剤を管理できる服薬カレンダーの普及等により、ＰＴＰ包装は、１日、あるいは、１回に服用すべき単位で、小片に、分割されることがある。
分割された個々の小片（以下、単に「小片」とも言う）は、人が飲み込める大きさとなることから、誤飲を誘引する。実際に、高齢者等が小片を誤飲したという複数の報告が、毎年なされている。
更に、ＰＴＰ包装は、ポケット間のシート状の領域で切り離されるので、小片の外周部には、樹脂からなるシート状の部位が存在する。小片を誤飲した際、そのシート状の部位（例えば、切り離されて鋭利になった角部）で食道等の消化管が損傷するおそれがある。
【０００４】
そこで、誤飲を防止するＰＴＰ包装や、仮に誤飲された際にも、消化管の損傷を抑制できるＰＴＰ包装が求められ、その具体例が特許文献１〜３に記載されている。
特許文献１、２に記載のＰＴＰ包装は、分割された小片が小さくなるのを抑制して、誤飲を防止するものであり、特許文献３に記載のＰＴＰ包装は、小片が、誤飲されたとしても、消化管の損傷を抑制する構造を備えている。
【先行技術文献】
【特許文献】
【０００５】
【特許文献１】特開２０１２−２３９６４８号公報
【特許文献２】特開２０１４−８０２１１号公報
【特許文献３】特開２０１２−２４６０３３号公報
【発明の概要】
【発明が解決しようとする課題】
【０００６】
しかしながら、特許文献１、２に記載のＰＴＰ包装は、小片が誤飲された場合に、消化管の損傷を抑制することができない。
また、特許文献３に記載のＰＴＰ包装は、小片の外周部に形成される樹脂からなるシート状の部位を小さくすることはできるが、完全に取り除くことはできず、消化管の損傷を確実に抑制することはできない。
本発明は、かかる事情に鑑みてなされるもので、分割された小片が誤飲されたとしても、消化管の損傷を安定的に抑制できる薬剤包装物を提供することを目的とする。
【課題を解決するための手段】
【０００７】
前記目的に沿う本発明に係る薬剤包装物は、開口部が膜体で覆われた樹脂性（樹脂製）のポケットに、薬剤を収容する薬剤包装物において、前記ポケットは、前記開口部の周囲が、該開口部の内側に折れ曲がって形成された内向き縁部を備え、前記ポケットは、前記開口部周りを含め全体において、外側に突出したシート状の部分が存在せず、前記膜体は、前記内向き縁部に、貼り付けられている。
【０００８】
本発明に係る薬剤包装物において、前記ポケットは、中空の円柱状、楕円柱状、球状、もしくは、楕円体状に形成されているのが好ましい。
【０００９】
本発明に係る薬剤包装物において、前記膜体は、外縁が、前記内向き縁部に貼り付けられているのが好ましい。
【００１０】
本発明に係る薬剤包装物において、前記ポケットは複数あって、前記ポケットは、外側に膨らんだ形状に形成された側壁部を介して、互いに連結されているのが好ましい。
【００１１】
本発明に係る薬剤包装物において、前記ポケットは、平面状に並べられているのが好ましい。
【００１２】
本発明に係る薬剤包装物において、前記ポケットは、複数あって、互いに非連結であり、一枚の前記膜体が、全ての前記ポケットの前記開口部を覆うのが好ましい。
【発明の効果】
【００１３】
本発明に係る薬剤包装物は、ポケットが、開口部の周囲が、開口部の内側に折れ曲がって形成された内向き縁部を備え、膜体は、内向き縁部に、貼り付けられているので、ポケットには、開口部周りに、膜体の貼り付け領域用に、外側に突出したシート状の部位を設ける必要がない。従って、分割された小片が誤飲されたとしても、消化管の損傷を安定的に抑制可能である。
【図面の簡単な説明】
【００１４】
【図１】（Ａ）、（Ｂ）はそれぞれ、本発明の第１の実施の形態に係る薬剤包装物の側面図及び一部側断面図である。
【図２】（Ａ）、（Ｂ）はそれぞれ、同薬剤包装物の平面図及び一部平断面図である。
【図３】（Ａ）〜（Ｃ）はそれぞれ、本発明の第２の実施の形態に係る薬剤包装物の側面図、一部側断面図及び平面図である。
【発明を実施するための形態】
【００１５】
続いて、添付した図面を参照しつつ、本発明を具体化した実施の形態につき説明し、本発明の理解に供する。
図１（Ａ）、（Ｂ）、図２（Ａ）、（Ｂ）に示すように、本発明の第１の実施の形態に係る薬剤包装物１０は、開口部１１が膜体１２で覆われた樹脂性のポケット１３に、薬剤１４を収容するものである。以下、詳細に説明する。
【００１６】
薬剤包装物１０に収容される薬剤１４は、図１（Ａ）、（Ｂ）、図２（Ａ）、（Ｂ）に示すように、錠剤であり、円柱状に形成されているがこれに限定されない。例えば、薬剤１４は、錠剤ではなく、カプセル剤であってもよいし、形状も、楕円柱状、球状、楕円体状等、円柱状以外のものであってもよい。
【００１７】
薬剤包装物１０は、複数（本実施の形態では、１０個）のポケット１３を備え、各ポケット１３には、１つの薬剤１４が収容されている。複数のポケット１３は、平面状に並べられ（即ち、複数のポケット１３は、仮想平面上に配され）、それぞれ、隣り合うポケット１３に連結されている（即ち、ポケット１３は、互いに連結されている）。そのため、薬剤包装物１０を用いることで、所定の数の薬剤１４をひとまとめにして、管理することが可能である。
隣り合うポケット１３の連結部１５は、隣り合うポケット１３が分割された際に、半分に分れるように形成され、分割されたそれぞれのポケット１３において、連結部１５があった箇所に孔が開くのを防止する。
【００１８】
各ポケット１３は、隣接するポケット１３に一部が連結される側壁部１６を有し、防湿性のある樹脂によって中空の円柱状に形成されている。ポケット１３の内側には、薬剤１４を収容するための内側空間部１７が設けられている。
ポケット１３の大きさや形状は、収容する薬剤１４に応じて決定され、例えば、中空の楕円柱状、球状、楕円体状等、円柱状以外の形状のポケットを採用することもできる。なお、ポケットは、他のポケットと、形状や大きさが同じでなくてもよい。
【００１９】
本実施の形態では、図１（Ｂ）に示すように、側壁部１６が、外側に膨らんだ形状に形成されている。
ポケット１３の素材には、透光性を有する樹脂が用いられているので、内側空間部１７に収容された薬剤１４は、ポケット１３の外側から視認可能である。樹脂としては、熱硬化性樹脂や、熱可塑性樹脂を採用でき、具体的には、ポリ塩化ビニル、ポリプロピレン、ポリ塩化ビニルデン、ポリオレフィンを用いることができるが、これに限定されない。
【００２０】
ポケット１３は、図１（Ｂ）、図２（Ｂ）に示すように、下側（一側）に、円形の開口部１１が形成され（即ち、ポケット１３は、開口部１１が下側に配されている）、開口部１１の周囲が、開口部１１の内側に折れ曲がって形成された内向き縁部１８を備えている。内向き縁部１８は、環状であり、側壁部１６の下端に連続して形成されている。膜体１２は、内向き縁部１８の外面側（下面側）に貼り付けられて、開口部１１全体を覆い、ポケット１３内（内側空空間部１７）を密封している。従って、内向き縁部１８は、ポケット１３において、膜体１２が貼り付けられる接着面を確保していることとなる。
開口部１１は、円形以外であってもよい。また、本実施の形態では、内向き縁部１８が、円環状であるが、他の形状であってもよく、例えば、楕円環状にすることもできる。
【００２１】
薬剤包装物１０は、図１（Ａ）、（Ｂ）、図２（Ａ）、（Ｂ）に示すように、複数のポケット１３と同数（即ち、複数）の膜体１２を備え、各ポケット１３には、別個の膜体１２が取り付けられている。
各膜体１２は、図１（Ｂ）、図２（Ｂ）に示すように、開口部１１より一回り大きい円形であり、膜体１２の外縁１９が、内向き縁部１８に貼り付けられ、張られた状態でポケット１３に固定されている。従って、膜体１２は、内向き縁部１８の外側に配された部分が存在しない。
【００２２】
本実施の形態において、膜体１２は、防湿性のあるアルミニウム箔であり、薬剤１４に関する情報、例えば、薬剤１４の名称が、印字されている。
薬剤１４は、指等によってポケット１３と共に下向きに押されることで、膜体１２に下向きの力を与え、膜体１２は、薬剤１４から与えられる力によって破られる。そして、膜体１２が破られることにより、薬剤１４は、内側空間部１７から押し出される。
【００２３】
ここで、ポケット１３は、開口部１１周りを含め全体において、外側に突出したシート状の部分が存在しない。よって、薬剤包装物１０が、連結部１５で切り離されて、１つのポケット１３を有する複数の小片に分割されたとしても、各小片のポケット１３には、外側に突出したシート状の部分が存在しないことになる。
そのため、人が、薬剤包装物１０を分割した小片を、たとえ誤飲したとしても、小片が消化管を損傷するのを安定的に抑制可能である。
更に、各膜体１２は、内向き縁部１８から外側に突出していないため、誤飲された小片が消化管を損傷するのを確実に抑制する点で好適である。
【００２４】
ここまで、隣り合うポケット１３が連結された薬剤包装物１０を説明したが、隣り合うポケット１３は、必ずしも連結されている必要はない。
以下、隣り合うポケット３１が非連結である図３（Ａ）〜（Ｃ）に示す本発明の第２の実施の形態に係る薬剤包装物３０について説明する。
薬剤包装物３０は、図３（Ａ）〜（Ｃ）に示すように、複数の樹脂性のポケット３１を備えている。各ポケット３１は、中空の楕円体状であり、下側に、図３（Ｂ）に示すように、楕円形状の開口部３２が形成され、開口部３２の周囲に、開口部３２の内側に向かって折れ曲がった内向き縁部３３が設けられている。内向き縁部３３は楕円環状である。
【００２５】
各ポケット３１は、図３（Ａ）〜（Ｃ）に示すように、隣り合うポケット３１からそれぞれ距離を有して配置され、互いに非連結である。
薬剤包装物３０は、アルミニウム箔からなる一枚の膜体３４を備えている。一枚の膜体３４は、矩形状に形成され、ポケット３１それぞれの内向き縁部３３の外面側に貼り付けられて、全てのポケット３１の開口部３２を覆っている。そして、各ポケット３１の内側には、図３（Ｂ）に示すように、楕円体状の薬剤３５が収容されている。
【００２６】
薬剤包装物３０も、薬剤包装物１０と同様に、各ポケット３１には、外側に突出したシート状の部分が存在せず、１つのポケット３１を有する複数の小片に分割されたとしても、各ポケット３１には、外側に突出したシート状の部分が存在しない。従って、薬剤包装物３０も、仮に、分割された小片が誤飲されたとしても、消化管の損傷を安定的に抑制可能である。なお、膜体３４は、ポケット３１に比べて、剛性がはるかに低く（膜体３４の剛性は、例えば、ポケット３１の剛性の２０％以下）、消化管を損傷するリスクは、極小であると考えられる。
【００２７】
以上、本発明の実施の形態を説明したが、本発明は、上記した形態に限定されるものでなく、要旨を逸脱しない条件の変更等は全て本発明の適用範囲である。
例えば、薬剤包装物は、複数のポケットを備えている必要はなく、１つのポケットのみを備えたものであってもよい。
また、１つのポケットに複数の薬剤を収容してもよい。
そして、膜体は、アルミニウム箔である必要はなく、ポケットより剛性が低く、防湿性のあるものであればよい。
【符号の説明】
【００２８】
１０：薬剤包装物、１１：開口部、１２：膜体、１３：ポケット、１４：薬剤、１５：連結部、１６：側壁部、１７：内側空間部、１８：内向き縁部、１９：外縁、３０：薬剤包装物、３１：ポケット、３２：開口部、３３：内向き縁部、３４：膜体、３５：薬剤
【図１】
0006494098.tif 000002
【図２】
0006494098.tif 000003
【図３】
0006494098.tif 000004